(57)【特許請求の範囲】
【請求項１】
図書の検索条件の入力を受け付ける受付端末と、該受付端末に受け付けられた検索条件に合致する図書を検索する図書情報センター端末と、を有する図書検索システムであって、
前記受付端末と前記図書情報センター端末間は、ネットワークを介して接続され、
前記図書情報センター端末は、前記図書の図書識別情報と、該図書の関連情報が情報媒体に掲載された掲載日と、該情報媒体の種類を示す媒体識別情報と、を対応付けて格納するとともに、前記図書の図書情報と在庫数とを示す在庫情報とを格納する図書データベースを有し、
前記受付端末は、前記図書の図書情報を検索キーとする第１の検索条件、および、前記情報媒体の媒体識別情報と該情報媒体に図書の関連情報が掲載された日または期間とを検索キーとする第２の検索条件の少なくとも１つを受け付け、
前記図書情報センター端末は、前記第２の検索条件がのみ受け付けられた場合、前記媒体識別情報が示す種類の情報媒体に、前記日または期間内に前記関連情報が掲載された図書を前記図書データベースから検索し、検索後、該検索結果が示す図書の在庫数を検索し、該検索結果が示す図書の書名とその在庫数とをマージした検索結果を生成し前記受付端末に送信する、図書検索システム。
【請求項２】
図書の検索条件の入力を受け付ける受付端末と、前記受付端末に受け付けられた検索条件を受信して検索結果を前記受付端末に送信する書店端末と、前記受付端末に受け付けられた検索条件に合致する図書の書名を検索する図書情報センター端末と、を有する図書検索システムであって、
前記受付端末と前記書店端末との間、および、前記書店端末と前記図書情報センター端末との間は、ネットワークを介して接続され、
前記書店端末は、前記図書の図書情報と在庫数を示す在庫情報とを格納する店舗在庫データベースを有し、
前記図書情報センター端末は、前記図書の図書識別情報と、該図書の関連情報が情報媒体に掲載された掲載日と、該情報媒体の種類を示す媒体識別情報と、を対応付けて格納する図書データベースを有し、
前記受付端末は、前記図書の図書情報を検索キーとする第１の検索条件、および、前記情報媒体の媒体識別情報と該情報媒体に図書の関連情報が掲載された日または期間とを検索キーとする第２の検索条件の少なくとも１つを受け付け、
前記受付端末が、検索条件として前記第２の検索条件のみを受け付けた場合、
前記書店端末は、前記第２の検索条件に基づく問い合わせ条件を前記図書情報センター端末に送信し、
前記図書情報センター端末は、前記図書データベースにアクセスして、前記問い合わせ条件に合致する図書を検索し、前記問い合わせ条件に合致する図書の書名を示す問い合わせ結果を前記書店端末に送信し、
前記書店端末は、前記店舗在庫データベースにアクセスして、受信した問い合わせ結果が示す図書の在庫数を検索し、前記問い合わせ結果が示す図書の書名とその在庫数とをマージした検索結果を生成して前記受付端末に送信する、図書検索システム。
【請求項３】
前記媒体識別情報は、前記情報媒体の種類が新聞であるか、雑誌であるかを示す情報である、請求項１または２に記載の図書検索システム。
【請求項４】
前記図書の関連情報は、該図書の広告である、請求項１または２に記載の図書検索システム。
【請求項５】
前記図書の関連情報は、該図書の内容を紹介する書評記事である、請求項１または２に記載の図書検索システム。
【発明の詳細な説明】
【技術分野】
【０００１】
本発明は、図書検索システム、図書情報センター端末、図書検索方法、およびプログラムに関する。
【背景技術】
【０００２】
近年、図書の書名や著者名、あるいは出版社等の図書に関する書誌的な情報（以下、図書情報と称する）を格納したデータベースを備え、検索者により入力された著者名等を検索キーとする検索条件を受け付け、その検索条件に合致する図書をデータベースから検索する図書検索システムが用いられている。
【０００３】
また、図書の図書情報のほかに、その図書の目次、あるいは、その図書の内容を紹介する書評記事や広告が掲載された新聞、雑誌といった情報媒体の名前の情報をデータベースに格納し、これらの情報を検索キーとする検索条件を受け付ける図書検索システムが特許文献１や特許文献２に記載されている。
【０００４】
特許文献１や特許文献２に記載の図書検索システムにより、単に、図書の著者名等を検索キーとするよりも、より細やかな検索を行うことができ、目的の図書を見つけやすくなる。
【先行技術文献】
【特許文献】
【０００５】
【特許文献１】特開２００２−２３００１３号公報
【特許文献２】特開２００１−３４４２５２号公報
【発明の概要】
【発明が解決しようとする課題】
【０００６】
例えば、検索者が、図書の広告が掲載された新聞を見て、その図書の検索を行おうとする場合、新聞を見ただけでは、図書の書名や著者名、あるいはその新聞の具体的な名前等の情報がうろ覚えであることが多い。
【０００７】
そうすると、特許文献１や特許文献２に記載の図書検索システムのように、図書情報だけでなく、図書の目次や情報媒体の名前の情報を検索キーとできたとしても、これらの情報がうろ覚えの場合、目的の図書を見つけることは難しいという課題がある。
【０００８】
本発明の目的は、上述した課題を解決することができる図書検索システム、図書情報センター端末、図書検索方法、およびプログラムを提供することにある。
【課題を解決するための手段】
【０００９】
上記目的を達成するために本発明の図書検索システムは、
図書の検索条件の入力を受け付ける受付端末と、該受付端末に受け付けられた検索条件に合致する図書を検索する図書情報センター端末と、を有する図書検索システムであって、
前記図書情報センター端末と接続され、前記図書の図書識別情報と、該図書の関連情報が情報媒体に掲載された掲載日と、該情報媒体の種類を示す媒体識別情報と、を対応付けて格納する図書データベースを更に有し、
前記受付端末は、前記図書の図書情報を検索キーとする第１の検索条件、および、前記情報媒体の媒体識別情報と該情報媒体に図書の関連情報が掲載された日または期間とを検索キーとする第２の検索条件の少なくとも１つを受け付け、
前記図書情報センター端末は、前記第２の検索条件が受け付けられた場合、前記媒体識別情報が示す種類の情報媒体に、前記日または期間内に前記関連情報が掲載された図書を前記図書データベースから検索する。
【００１０】
上記目的を達成するために本発明の図書情報センター端末は、
受付端末に受け付けられた検索条件に合致する図書を検索する図書情報センター端末であって、
前記図書の図書識別情報と、該図書の関連情報が情報媒体に掲載された掲載日と、該情報媒体の種類を示す媒体識別情報と、を対応付けて格納する図書データベースと接続され、
前記受付端末に、前記情報媒体の媒体識別情報と該情報媒体に図書の関連情報が掲載された日または期間とを検索キーとする検索条件が受け付けられた場合、前記媒体識別情報が示す種類の情報媒体に、前記日または期間内に前記関連情報が掲載された図書を前記図書データベースから検索する検索部を有する。
【００１１】
上記目的を達成するために本発明の図書検索方法は、
受付端末に受け付けられた検索条件に合致する図書を検索する図書情報センター端末に適用される図書検索方法であって、
前記受付端末に、情報媒体の種類を示す媒体識別情報と該情報媒体に図書の関連情報が掲載された日または期間とを検索キーとする検索条件が受け付けられた場合、
前記図書の図書識別情報と、該図書の関連情報が前記情報媒体に掲載された掲載日と、該情報媒体の媒体識別情報と、を対応付けて格納する図書データベースにアクセスするステップと、
前記媒体識別情報が示す種類の情報媒体に、前記日または期間内に前記関連情報が掲載された図書を前記図書データベースから検索するステップと、を有する。
【００１２】
上記目的を達成するために本発明のプログラムは、
受付端末に受け付けられた検索条件に合致する図書を検索する図書情報センター端末に、
前記受付端末に、情報媒体の種類を示す媒体識別情報と該情報媒体に図書の関連情報が掲載された日または期間とを検索キーとする検索条件が受け付けられた場合、
前記図書の図書識別情報と、該図書の関連情報が前記情報媒体に掲載された掲載日と、該情報媒体の媒体識別情報と、を対応付けて格納する図書データベースにアクセスする処理と、
前記媒体識別情報が示す種類の情報媒体に、前記日または期間内に前記関連情報が掲載された図書を前記図書データベースから検索する処理と、を実行させる。
【発明の効果】
【００１３】
本発明によれば、図書情報センター端末は、情報媒体の種類を示す媒体識別情報とその情報媒体に図書の関連情報が掲載された日または期間とを検索キーとする検索条件が受け付けられた場合、媒体識別情報が示す種類の情報媒体に、その日または期間内に関連情報が掲載された図書を、図書の図書識別情報と図書の関連情報が情報媒体に掲載された掲載日と情報媒体の媒体識別情報とを対応付けて格納する図書データベースから検索する。
【００１４】
そのため、情報媒体の種類およびその情報媒体に図書の関連情報が掲載された日や期間という大まかな情報を検索キーとすることができるので、図書の図書情報やその図書の関連情報が掲載された情報媒体の名前等がうろ覚えの場合にも、検索者が目的の図書を見つけることができる可能性を高めることができる。
【図面の簡単な説明】
【００１５】
【図１】本発明の第１の実施形態の図書検索システムの構成を示す図である。
【図２】図１に示す図書検索システムの動作を示すシーケンス図である。
【図３】検索画面の一例を示す図である。
【図４】検索条件が入力された検索画面の一例を示す図である。
【図５】検索結果の表示画面の一例を示す図である。
【図６Ａ】検索条件が入力された検索画面の他の一例を示す図である。
【図６Ｂ】検索結果の表示画面の他の一例を示す図である。
【図７Ａ】検索条件が入力された検索画面の更に他の一例を示す図である。
【図７Ｂ】検索結果の表示画面の更に他の一例を示す図である。
【図８Ａ】検索条件が入力された検索画面の更に他の一例を示す図である。
【図８Ｂ】検索結果の表示画面の更に他の一例を示す図である。
【図９】本発明の第２の実施形態の図書検索システムの動作を示すシーケンス図である。
【発明を実施するための形態】
【００１６】
以下に、本発明を実施するための形態について図面を参照して説明する。
【００１７】
（第１の実施形態）
図１は、本発明の第１の実施形態の図書検索システムの構成を示す図である。
【００１８】
図１に示す図書検索システムは、受付端末１００と、店舗在庫データベース２００と、書店端末３００と、図書データベース４００と、図書情報センター端末５００と、を有する。
【００１９】
なお、受付端末１００、書店端末３００、および図書情報センター端末５００は、プログラム制御により動作し、インターネット等のネットワークを介して、受付端末１００と書店端末３００とが接続され、また、書店端末３００と図書情報センター端末５００とが接続される。また、書店端末３００は、店舗在庫データベース２００と接続され、図書情報センター端末５００は、図書データベース４００と接続される。
【００２０】
受付端末１００は、書店等に設置され、主に、書店の顧客等の図書の検索者により操作される端末である。そして、受付端末１００は、検索者により入力された検索条件の受付や検索結果の表示等を行う。
【００２１】
なお、本実施形態では、図書の図書情報だけでなく、新聞、雑誌等の情報媒体の媒体識別情報とその情報媒体に図書の広告や書評記事などの関連情報が掲載された日または期間とを検索キーとする検索条件を受け付けることができる。
【００２２】
ここで、媒体識別情報とは、情報媒体が新聞であるか雑誌であるかといった、その情報媒体の種類を示す情報である。
【００２３】
店舗在庫データベース２００は、予め、図書データベース４００から提供された図書の図書情報とその図書の在庫数を示す在庫情報とを格納する。
【００２４】
書店端末３００は、書店等に設置され、主に、書店の店員等により操作される端末である。そして、書店端末３００は、受付端末１００に受け付けられた検索条件に応じて、検索条件に合致する図書の、店舗在庫データベース２００からの検索、または、図書情報センター端末５００への問い合わせを行う。そして、書店端末３００は、検索条件に合致する図書の書名とその図書の在庫数とを示す検索結果を受付端末１００に送信する。
【００２５】
図書データベース４００は、図書の図書識別情報と、その図書の関連情報が情報媒体に掲載された掲載日と、その情報媒体の媒体識別情報と、を対応付けて格納する。
【００２６】
なお、図書識別情報としては、図書の書名や各図書に付されたＩＤ等を用いることができ、以下では、図書の書名を例として説明する。
【００２７】
図書情報センター端末５００は、新聞社等から関連情報が情報媒体に掲載された図書の情報提供を受け、その図書の書名と、情報媒体への掲載日およびその情報媒体の媒体識別情報とを対応付けて図書データベース４００に格納する。また、図書情報センター端末５００は、書店端末３００から問い合わせがあった場合には、図書データベース４００にアクセスしてその問い合わせ内容に合致する図書を検索し、問い合わせ結果を書店端末３００に送信する。
【００２８】
次に、受付端末１００の構成について説明する。
【００２９】
図１に示す受付端末１００は、表示部１１０と、受付部１２０と、送信部１３０と、受信部１４０と、を有する。
【００３０】
表示部１１０は、不図示のディスプレイに検索者が検索条件を入力するための検索画面や検索結果を表示する。
【００３１】
受付部１２０は、検索者により入力された検索条件を受け付け、受け付けた検索条件を送信部１３０に出力する。
【００３２】
送信部１３０は、受付部１２０から出力された検索条件を書店端末３００に送信する。
【００３３】
受信部１４０は、書店端末３００から送信されてきた検索結果を受信し、受信した検索結果を表示部１１０に出力する。
【００３４】
次に、書店端末３００の構成について説明する。
【００３５】
図１に示す書店端末３００は、受信部３１０と、検索部３２０と、送信部３３０と、を有する。
【００３６】
受信部３１０は、受付端末１００から送信されてきた検索条件や、図書情報センター端末５００から送信されてきた問い合わせ結果を受信し、検索部３２０に出力する。
【００３７】
検索部３２０は、受信部３１０から出力された検索条件に応じて、検索条件に合致する図書の、店舗在庫データベース２００からの検索、または、図書情報センター端末５００への問い合わせを行う。そして、検索部３２０は、図書情報センター端末５００への問い合わせの内容を示す問い合わせ条件または検索結果を送信部３３０に出力する。
【００３８】
送信部３３０は、検索部３２０から出力された、問い合わせ条件を図書情報センター端末５００に送信すると共に、検索結果を受付端末１００に送信する。
【００３９】
次に、図書情報センター端末５００の構成について説明する。
【００４０】
図１に示す図書情報センター端末５００は、格納部５１０と、受信部５２０と、検索部５３０と、送信部５４０と、を有する。
【００４１】
格納部５１０は、新聞社等から関連情報が情報媒体に掲載された図書の情報提供を受け、情報媒体への掲載日とその情報媒体の媒体識別情報とをその図書の書名に対応付けて図書データベース４００に格納する。
【００４２】
受信部５２０は、書店端末３００から送信されてきた問い合わせ条件を受信し、検索部５３０に出力する。
【００４３】
検索部５３０は、受信部５２０から出力された問い合わせ条件に合致する図書を図書データベース４００から検索し、その図書の書名を示す問い合わせ結果を送信部５４０に出力する。
【００４４】
送信部５４０は、検索部５３０から出力された問い合わせ結果を書店端末３００に送信する。
【００４５】
次に、本実施形態の図書検索システムの動作について説明する。
【００４６】
図２は、本実施形態の図書検索システムの動作を示すシーケンス図である。
【００４７】
なお、以下では、検索者が検索を行う当日が２００９年３月１５日であるとする。
【００４８】
また、当日発行された新聞の朝刊に４冊の図書（書名、「○○○○」、「□□□□」、「△△△△」、「××××」）の広告が掲載され、更に、当日発行された雑誌に２冊の図書（書名「△△△△」、「××××」）の書評記事が掲載されたとする。
【００４９】
また、以下では、図書の書名「○○○○」、「□□□□」、「△△△△」、「××××」やその筆者名等の図書情報と、各図書の在庫数と、が店舗在庫データベース２００に格納されており、各図書の在庫数は、３点、０点、１点、２点であったとする。
【００５０】
まず、図書情報センター端末５００の格納部５１０は、新聞社等から当日発行された新聞の朝刊に広告が掲載された図書（書名「○○○○」、「□□□□」、「△△△△」、「××××」）や当日発行された雑誌に書評記事が掲載された図書（書名「△△△△」、「××××」）の情報提供を受け、各図書の書名に対応付けて、掲載日（２００９年３月１５日）および広告や書評記事を掲載する情報媒体の媒体識別情報を図書データベース４００に格納する（ステップＳ１０１）。
【００５１】
検索者が操作を開始すると、受付端末１００の送信部１３０は、書店端末３００へアクセスし（ステップＳ１０２）、書店端末３００の送信部３３０は、検索画面を受付端末１００に送信する（ステップＳ１０３）。
【００５２】
受付端末１００の表示部１１０は、書店端末３００から送信されてきた検索画面をディスプレイに表示する（ステップＳ１０４）。
【００５３】
図３は、検索画面の一例を示す図である。
【００５４】
図３の例では、図書の書名、著者名、出版社を検索キーとする検索条件を入力することができる。また、情報媒体の媒体識別情報とその情報媒体に関連情報が掲載された日または期間とを検索キーとする検索条件の例として、「今朝の朝刊で広告されていた」あるいは「今月の書評で紹介されていた」という検索条件を入力することができる。ここで、例えば、「今朝の朝刊で広告されていた」という検索条件を入力すれば、今朝の朝刊に広告が掲載された図書を検索することができる。
【００５５】
以下では、図４に示すように、「今朝の朝刊で広告されていた」という検索条件が入力されたとする。
【００５６】
図２に戻り、検索条件が入力されると、受付端末１００の受付部１２０は、その入力された検索条件を受け付け（ステップＳ１０５）、受付端末１００の送信部１３０は、その検索条件を書店端末３００に送信する（ステップＳ１０６）。
【００５７】
書店端末３００の受信部３１０は、受付端末１００から送信されてきた検索条件を受信し、検索部３２０に出力する。
【００５８】
書店端末３００の検索部３２０は、「今朝の朝刊で広告されていた」という検索条件である場合、今朝の朝刊に広告が掲載された図書を図書情報センター端末５００に問い合わせる（ステップＳ１０７）。
【００５９】
図書情報センター端末５００の検索部５３０は、書店端末３００から問い合わせがあると、図書データベース４００にアクセスし、今朝の朝刊に広告が掲載された図書を検索する（ステップＳ１０８）。ここで、図書データベース４００には、書名「○○○○」、「□□□□」、「△△△△」、「××××」に対応付けて、広告が掲載された掲載日（２００９年３月１５日）と情報媒体が新聞であることを示す媒体識別情報とが格納されているので、検索部５３０は、これらの書名を示す問い合わせ結果を生成し、図書情報センター端末５００の送信部５４０は、その問い合わせ結果を書店端末３００に送信する（ステップＳ１０９）。
【００６０】
書店端末３００の受信部３１０は、図書情報センター端末５００から送信されてきた問い合わせ結果を受信し、書店端末３００の検索部３２０は、その問い合わせ結果が示す書名の図書の在庫数を店舗在庫データベース２００から検索する。そして、検索部３２０は、問い合わせ結果が示す図書の書名とその図書の在庫数とをマージした検索結果を生成し（ステップＳ１１０）、書店端末３００の送信部３３０は、その検索結果を受付端末１００に送信する（ステップＳ１１１）。
【００６１】
受付端末１００の受信部１４０は、書店端末３００から送信されてきた検索結果を受信し、受付端末１００の表示部１１０は、その検索結果を表示する（ステップＳ１１２）。
【００６２】
図５は、表示部１１０が表示する検索結果の一例を示す図である。
【００６３】
図５に示すように、今朝の朝刊に広告が掲載された図書の書名「○○○○」、「□□□□」、「△△△△」、「××××」と、各図書の在庫数と、が表示される。
【００６４】
なお、例えば、図６Ａに示すように、「今朝の朝刊で広告されていた」という検索条件に加えて、筆者名「ＡＡＡＡ」を検索キーとする検索条件が入力されている場合には、書店端末３００の検索部３２０は、今朝の朝刊に広告が掲載されていた図書を図書情報センター端末５００に問い合わせると共に、筆者名が「ＡＡＡＡ」の図書を店舗在庫データベース２００から検索する。
【００６５】
ここで、書名「○○○○」の図書の筆者名が「ＡＡＡＡ」であったとすると、店舗在庫データベース２００から、書名「○○○○」の図書とその在庫数とが検索される。
【００６６】
また、図書情報センター端末５００からは、ステップＳ１０８、Ｓ１０９と同様の処理により、書名「○○○○」、「□□□□」、「△△△△」、「××××」を示す問い合わせ結果が送信されるので、書店端末３００の検索部３２０は、これらの結果をマージして、図書の書名「○○○○」とその図書の在庫数（３点）とを示す検索結果を生成し、図６Ｂに示すような検索結果が表示される。
【００６７】
また、図７Ａに示すように、「今月の書評に紹介されていた」という検索条件が入力されると、図書データベース４００には、書名「△△△△」、「××××」に対応付けて、書評記事が掲載された掲載日（２００９年３月１５日）と情報媒体が雑誌であることを示す媒体識別情報が格納されているので、図７Ｂに示すように、図書の書名「△△△△」、「××××」とその在庫数とを示す検索結果が表示される。
【００６８】
また、図８Ａに示すように、図書の広告が新聞の朝刊に掲載された期間を検索キーとする検索条件を入力することも可能である。
【００６９】
この場合、図書情報センター端末５００の検索部５３０は、２００９年３月１日から２００９年３月１５日の期間内に広告が新聞の朝刊に掲載された図書を図書データベース４００から検索する。ここで、その期間内には、書名「○○○○」、「□□□□」、「△△△△」、「××××」の図書以外の図書の広告が新聞の朝刊に掲載されていなかったとする。また、図書の筆者名「ＡＡＡＡ」を検索キーとする検索条件が合せて入力されていることから、図８Ｂに示すような検索結果が出力される。
【００７０】
このように本実施形態によれば、受付端末１００は、図書の図書情報を検索キーとする検索条件、および、情報媒体の媒体識別情報とその情報媒体に図書の関連情報が掲載された日または期間とを検索キーとする検索条件の少なくとも１つを受け付ける。
【００７１】
また、図書情報センター端末５００は、情報媒体の媒体識別情報とその情報媒体に図書の関連情報が掲載された日または期間とを検索キーとする検索条件が受け付けられた場合、その媒体識別情報が示す種類の情報媒体に、その日または期間内に関連情報が掲載された図書を図書データベース４００から検索する。
【００７２】
そのため、情報媒体の種類およびその情報媒体に図書の関連情報が掲載された日や期間という大まかな情報を検索キーとして検索することができるので、図書の図書情報やその図書の関連情報が掲載された情報媒体の名前等がうろ覚えの場合にも、検索者が目的の図書を見つけることができる可能性を高めることができる。
【００７３】
（第２の実施形態）
本実施形態の図書検索システムは、第１の実施形態の図書検索システムと比較して、書店端末３００を削除した点と、受付端末１００と図書情報センター端末５００とがネットワークを介して接続され、検索条件や検索結果を直接送受信する点と、が異なる。
【００７４】
なお、本実施形態では、書店端末３００を削除したことにより、書店端末３００が行っていた処理を図書情報センター端末５００が肩代わりして処理する。そのため、本実施形態では、第１の実施形態とは異なる以下のような動作を行う。
【００７５】
すなわち、本実施形態では、図書情報センター端末５００の格納部５１０は、新聞社等から関連情報が情報媒体に掲載された図書の情報が提供されるだけでなく、書店等から図書の在庫情報が提供され、これらの情報を図書データベース４００に格納する。
【００７６】
また、第１の実施形態では、図書情報を検索キーとする検索は書店端末３００の検索部３２０が行っていたのに対し、本実施形態では、図書情報センター端末５００の検索部５３０が、図書情報を検索キーとする検索も行う。
【００７７】
その他の点については、第１の実施形態と同様の構成、動作であるので、説明を省略する。
【００７８】
次に、本実施形態の図書検索システムの動作を説明する。
【００７９】
図９は、本実施形態の図書検索システムの動作を示すシーケンス図である。
【００８０】
なお、図９において、図２と同様の処理については同じ符号を付し、説明を省略する。
【００８１】
図書情報センター端末５００の格納部５１０は、書店から提供される図書の在庫情報を図書データベース４００に格納する（ステップＳ２０１）。
【００８２】
検索者が操作を開始すると、受付端末１００の送信部１３０は、図書情報センター端末５００にアクセスし（ステップＳ２０２）、図書情報センター端末５００の送信部５４０は、検索画面を受付端末１００に送信する（ステップＳ２０３）。
【００８３】
検索条件が入力されると、受付端末１００の送信部１３０は、その検索条件を図書情報センター端末５００に送信する（ステップＳ２０４）。
【００８４】
ここで、以下では、図４に示すように、「今朝の朝刊で広告されていた」という検索条件が入力されたとする。
【００８５】
図書情報センター端末５００の検索部５３０は、図書データベース４００にアクセスし、今朝の朝刊に広告が掲載された図書を検索する（ステップＳ１０８）。さらに、図書情報センター端末５００の検索部５３０は、ステップＳ１０８で検索した図書の在庫数を図書データベース４００から検索すると、検索された図書の書名とその図書の在庫数とをマージして検索結果を生成し（ステップＳ２０４）、図書情報センター端末５００の送信部５４０は、その検索結果を受付端末１００に送信する（ステップＳ２０５）。
【００８６】
このように本実施形態によれば、書店端末３００が行っていた処理を図書情報センター端末５００が肩代わりすることにより、メンテナンス等が必要となる書店端末３００を書店に設置しなくても、検索者が本発明の図書検索システムを利用することができる。
【００８７】
なお、本発明の受付端末１００、書店端末３００、および図書情報センター端末５００にて行われる方法は、コンピュータに実行させるためのプログラムに適用してもよい。また、そのプログラムを記憶媒体に格納することも可能であり、ネットワークを介して外部に提供することも可能である。
【符号の説明】
【００８８】
１００    受付端末
１１０    表示部
１２０    受付部
１３０，３３０，５４０    送信部
１４０，３１０，５２０    受信部
２００    店舗在庫データベース
３００    書店端末
３２０，５３０    検索部
４００    図書データベース
５００    図書情報センター端末
５１０    格納部
【図１】
0005392850.tif 000002
【図２】
0005392850.tif 000003
【図３】
0005392850.tif 000004
【図４】
0005392850.tif 000005
【図５】
0005392850.tif 000006
【図６Ａ】
0005392850.tif 000007
【図６Ｂ】
0005392850.tif 000008
【図７Ａ】
0005392850.tif 000009
【図７Ｂ】
0005392850.tif 000010
【図８Ａ】
0005392850.tif 000011
【図８Ｂ】
0005392850.tif 000012
【図９】
0005392850.tif 000013